【事件の表示】
　特許第２７８４５７９号「屋内用粉剤およびその安定化方法」の請求項１ないし２に係る特許に対する特許異議の申立てについて、次のとおり決定する。
【結　論】
　訂正を認める。
　特許第２７８４５７９号の請求項１ないし２に係る特許を維持する。
【理　由】
I　手続の経緯
　本件特許第２７８４５７９号発明は、昭和６３年１１月２２日に出願され、平成１０年５月２９日にその特許の設定登録がなされ、その後、アース製薬株式会社による特許異議の申立てがあり、取消理由通知がなされ、その指定期間内である平成１１年７月２７日に訂正請求がなされたものである。
II　訂正の適否についての判断
１　訂正の内容
　本件訂正請求は、本件特特許第２７８４５７９号発明の明細書を訂正明細書のとおりに訂正することを求めるものであり、その内容は、次の（ａ）、（ｂ）のとおりのものである。
（ａ）特許請求の範囲の請求項１、２において、「ピレスロイド系化合物および／または有機リン系化合物」を、「ピレスロイド系化合物」に訂正し、「アルキルアミンのポリオキシエチレンエーテル系界面活性剤」を、「アルキルアミン（ただし、ステアリルアミンは除く）のポリオキシエチレンエーテル系界面活性剤」に訂正するものである。
（ｂ）特許請求の範囲請求項１、２の訂正に伴い、発明の詳細な説明の記載を上記特許請求の範囲の訂正と整合すべく、該当箇所を訂正するものである。
２　訂正の目的の適否、新規事項の有無及び拡張・変更の存否
　上記（ａ）の訂正は、選択的記載事項からその選択肢の一部を削除するものであり、また、「アルキルアミン」から「ステアリルアミン」を除外するものであるから、特許請求の範囲の減縮を目的とするものである。さらに、（ｂ）の訂正は、上記（ａ）の訂正と整合すべく、該当箇所を訂正するものであるから、明りょうでない記載の釈明を目的とするものである。
　そして、上記（ａ）の訂正において、「アルキルアミン」から「ステアリルアミン」を除外する点は、訂正前の請求項に記載した事項の記載表現を残したままで先行技術として刊行物に記載された事項のみを当該請求項に記載した事項から除外するもの（いわゆる「除くクレーム」）であり、新規事項の追加に該当しないものとして取扱うこととされているものであるから、これら（ａ）、（ｂ）の訂正は、願書に添付した明細書に記載した事項の範囲内のものであり、かつ、実質上特許請求の範囲を拡張し、又は変更するものでもない。
３　独立特許要件の判断
（１）本件発明
　訂正後の特許請求の範囲の請求項１、２に係る発明（以下「本件第１発明」、「本件第２発明」という。）は、次の事項により特定されるものである。
（特許請求の範囲の請求項１）
「ピレスロイド系化合物を有効成分とし、これに脂肪酸のアルキロールアマイド系又はアルキルアミン（ただし、ステアリルアミンは除く）のポリオキシエチレンエーテル系界面活性剤の少なくとも１種を全体量に対して０．２〜５．０％配合することを特徴とする屋内用粉剤。」
（特許請求の範囲の請求項２）
「ピレスロイド系化合物を有効成分とする屋内用粉剤において、脂肪酸のアルキロールアマイド系又はアルキルアミン（ただし、ステアリルアミンは除く）のポリオキシエチレンエーテル系界面活性剤の少なくとも１種を全体量に対して０．２〜５．０％配合することを特徴とする屋内用粉剤の安定化方法。」
（２）証拠の記載
　刊行物１（特開昭５６−１２７３０４号公報、甲第１号証）には、「活性成分としてのリン酸、チオりん酸およびジチオりん酸のエステルと、キヤリアーとしての、吸収性粒体又は粉末よりなる固体物質とを含む粒状ないし粉末状の殺虫殺線虫殺ダニ製剤であって、ポリオキシエチル化アミン類の付加物又はその混合物を安定剤として用い、しかも下記組成すなわち
Ａ　−活性成分　　１〜５０重量％
Ｂ　−安定剤　　　１〜４重量％
Ｃ　−固体キヤリアー　合計１００重量％にするのに十分な量を有することを特徴とする、化学的に安定な製剤。」（特許請求の範囲第１項）、「安定剤を構成する付加物又は付加物の混合物が一般式
　　
（式中Ｒは、８〜１８個の炭素原子を有する飽和若しくは不飽和アルキル基であり、ｘ＋ｙは０〜４０範囲である）を有することを特徴とする・・・製剤。」（特許請求の範囲第１１項）、「然るに、ポリオキシエチル化アミンの類に属する化合物又は化合物の混合物が、無機物質に担持された活性成分の経時的劣化を抑制し而して活性成分そのものの殺虫殺ダニ殺線虫作用を変らぬまゝに保持することがわかった。」（２頁右下欄６〜１０行）と記載されている。
　刊行物２（特開昭５０−６７２０号公報、甲第４号証）には、「合成ピレスロイド殺虫剤、・・・に３、５−ジ−ｔ−ブチル−４−ヒドロキシアニソールまたは２、２’−メチレンビス（６−ｔ−ブチル−４−エチルフェノール）の１種以上を添加してなることを特徴とする安定化された殺虫組成物。」（特許請求の範囲）、具体的には、ピレスロイド殺虫剤に、特定のフェノール系安定化剤及び「ＰＯＥ（８モル）ステアリルアミン」を配合することが記載されている（実施例５参照。）。
　また、甲第２号証（特開昭５９−１９６８０２号公報）には、「無機塩および／または有機塩粉末、殺菌剤または静菌剤、および香料を主成分とし、さらに任意に帯電防止剤、界面活性剤、粉末流動性改質剤として微細アルミナおよび微細シリカ、色素および湿潤剤の１種またはそれ以上を含み、室内に散布し、一定時間経過後吸い取る用途に使用する室内処理用粉末状組成物。」（特許請求の範囲第１項）、「本発明の組成物には、必要に応じて、・・・殺虫剤の任意のものを含むことができる。殺虫剤としては、・・・有機リン系では・・・ピレスロイド系では・・・が使用できる。好ましいものは、アレスリン、レスメトリン・・・である。」（３頁右下欄７〜１５行）、「界面活性剤は、公知の任意のものが使用可能である。・・・ポリエチレングリコールソルビタン脂肪酸エステル、・・・アルキルアミン誘導体のようなノニオン型・・・がある。」（４頁左上欄１０行〜右上欄１行）と記載されている。
　甲第３号証（特開昭６２−２０５００１号公報）には、ホコリイエダニ類を他の小有害生物類および／または菌・カビ類と一緒に防除するための薬剤に係る発明が記載され、殺ダニ剤活性物質として、ピレスロイド系殺虫剤が記載され（３頁右上欄２〜４行）、表面活性剤として、脂肪酸アルキロールアミン、脂肪酸アルキロールアミドエトキシレート、脂肪アミンエトキシレート、およびポリアルキレンオキシド鎖状重合体類が記載されている（５頁右上欄１７〜２０行）。
　甲第５号証（特開昭６１−５７５０６号公報）には、「有機りん系殺虫剤またはピレスロイド系殺虫剤から選ばれる１種以上の殺虫剤と、脂肪族アミン化合物または脂肪族第４級アンモニウム化合物から選ばれる１種以上の化合物とを含むことを特徴とする防虫防蟻組成物。」（特許請求の範囲第１項）、「有機りん系殺虫剤又はピレスロイド系殺虫剤に脂肪族アミン化合物又は脂肪族第４級アンモニウム化合物を添加した組成物が水に可溶性となり、その水希釈液は長時間にわたり安定性が保持されるとともに、防虫防蟻効力も長時間にわたり持続する」（２頁右上欄８〜１３行）と記載されている。
　甲第６号証（特開昭５８−５５４０５号公報）には、５−フェニルカルバモイルバルビツル酸化合物、合成ピレトロイド、１種またはそれ以上の脂肪族または脂環式アミンまたは／およびアミドまたはそれらの誘導体を主成分とする貯蔵安定性防虫剤組成物に係る発明が記載され、「５−フェニルカルバモイルバルビツル酸化合物と合成ピレトロイドとの組合わせは、ケラチン物質、特に、羊毛、毛皮および羽毛をケラチン侵食性幼虫による被害から守るために格別に良好な作用を示す。」（５頁右下欄１０〜１５行）、「本発明の目的は長期間に亘って貯蔵安定性であり・・・・５−フェニルカルバモイルバルビツル酸成分とピレトロイド成分とを含有することを特徴とする防虫組成物を提供することである。」（６頁左上欄１４〜２０行）、「脂肪酸アミドの例は、・・・その他の脂肪酸アミドである。これらのアミドは、酸化アルキレンを用いて対応するアルコキシル化脂肪酸アミドに変換することができる。アミノアルコールおよびそれらの酸化アルキレンとの反応生成物も上記した長さの長鎖炭化水素鎖を持つ。・・・特にエトキシル化生成物が好ましい。」（９頁右上欄１６行〜左下欄５行）、「適当な脂肪族アミンのアルコキシル化生成物は、例えば下記式（６）の化合物である。式（６）（略）」（９頁左下欄１９行〜右上欄１行）と記載されている。
（３）対比・判断
（ア）本件第１発明について　
　本件第１発明と刊行物１、２に記載された発明を対比する。
　刊行物１（甲第１号証）には、活性成分として、リン系化合物を含有する殺虫殺線虫殺ダニ製剤が記載されているのに対し、本件第１発明は、活性成分として、ピレスロイド系化合物を用いるものであり、刊行物１記載の発明とは、その活性成分を相違するものであるから、刊行物１に記載された発明であるとはいえない。
　刊行物２（甲第４号証）には、合成ピレスロイド殺虫剤に、特定のフェノール系安定化剤及び「ＰＯＥ（８モル）ステアリルアミン」を併用して配合することが記載されており、該「ＰＯＥ（８モル）ステアリルアミン」は、本件第１発明の「アルキルアミンのポリオキシエチレンエーテル」に包含されるものであるが、本件第１発明は、該「アルキルアミンのポリオキシエチレンエーテル」から「ステアリルアミンのポリオキシエチレンエーテル」を除外するものであり、さらに、刊行物２で使用されているフェノール系安定化剤を必須の成分とするものではないから、刊行物２に記載された発明であるとはいえない。          
　また、甲第２号証には、無機塩（又は有機塩粉末）、殺菌剤（又は静菌剤）及び香料を主成分とする室内処理用粉末状組成物が記載され、該組成物には、必要に応じて、殺虫剤、界面活性剤が配合できると記載され、該殺虫剤として、ピレスロイド系化合物が、また、該界面活性剤として、アルキルアミン誘導体のようなノニオン型のものが例示されている。しかし、甲第２号証には、該殺虫剤はあくまで任意成分として使用することが記載されているにすぎず、ましてピレスロイド系化合物を本件第１発明の界面活性剤を使用することにより安定化することについて何ら示唆するものではない。
　甲第３号証には、ホコリイエダニ類等を防除する薬剤が記載され、殺ダニ剤活性物質として、ピレスロイド系殺虫剤が、また、非イオン系表面活性剤として、脂肪酸アルキロールアミン、脂肪酸アルキロールアミドエトキシレート、脂肪アミンエトキシレート、およびポリアルキレンオキシド鎖状重合体類が、それぞれ例示されている。しかし、甲第３号証には、ピレスロイド系化合物を本件第１発明の界面活性剤を使用することにより安定化することについて何ら示唆するものではない。
　甲第５号証には、ピレスロイド系殺虫剤に、脂肪族アミン化合物又は脂肪族第４級アンモニウム化合物を添加して、ピレスロイド系殺虫剤を安定化することが記載されているが、該脂肪族アミン化合物又は脂肪族第４級アンモニウム化合物として、本件第１発明のポリオキシエチレンエーテル系界面活性剤（安定化剤）を開示するものではない。
　甲第６号証には、（ａ）５−フェニルカルバモイルバルビツル酸化合物、（ｂ）ピレトロイド系化合物、（ｃ）脂肪族又は脂環式アミン、そのアミド、それらの誘導体を含有する貯蔵安定性防虫組成物が記載されている。しかし、甲第６号証には、「５−フェニルカルバモイルバルビツル酸化合物がケラチン害虫に対する非常にすぐれた防虫作用を示すことは・・・公知である。５−フェニルカルバモイルバルビツル酸化合物と合成ピレトロイドとの組合わせは、ケラチン物質、特に羊毛、毛皮および羽毛をケラチン侵食性幼虫による被害から守るために格別に良好な作用を示す。」（５頁右下欄７〜１５行）、「上記の有効物質組合わせは公知のすぐれた作用を有するが、現在まで適切な防虫剤を市場に提供することは不可能であった。・・・特にここで問題となるのは、バルビツル酸成分がきわめて水溶性が低いことである。したがって、本発明の目的は長期間に亘って貯蔵安定性であり（すなわち、沈殿や混合物分離を生じない）、できる限り無色であり、しかも水と混和性のある５−フェニルカルバモイルバルビツル酸成分とピレトロイド成分とを含有することを特徴とする防虫組成物を提供することである。」（６頁左上欄４〜２０行）と記載されており、この記載によれば、上記（ｃ）の成分を添加することにより、５−フェニルカルバモイルバルビツル酸化合物の水溶性を増大させ、貯蔵安定性を達成させているものと解するのが自然であるから、甲第６号証には、直ちに、上記（ｃ）の成分がピレトロイド系化合物を安定化させることについて示唆しているとはいえない。
　そうすると、確かに刊行物２（甲第４号証）には、特定のフェノール系安定化剤にステアリルアミンのポリオキシエチレンエーテルを併用すると安定化効果が高められると記載されているが、この記載から、直ちに、該ステアリルアミンのポリオキシエチレンエーテルが単独でピレスロイド系化合物の安定化剤として作用することについて示唆されているとはいえないこと、他の証拠にはいずれも本件第１発明の界面活性剤（安定化剤）がピレスロイド系化合物を安定化することについて示唆するものでないことに照らせば、上記刊行物１、２記載の発明に、甲第２、３、５及び６号証記載の発明を併せ考えても、本件第１発明の構成を採用することは当業者が容易に想到し得たものであるとはいえない。
　そして、本件発第１発明は、上記した構成を採用することにより、有効成分の安定性にすぐれ、また、高い防除効果と人畜に対する安全性を兼備した屋内用粉剤を得ることができるという顕著な効果を奏するものである。
　したがって、本件第１発明は、刊行物１、２並びに甲第２、３、５及び６号証記載の発明に基いて当業者が容易に発明をすることができたものとはいえない。
（イ）本件第２発明について
　本件第２発明は、ピレスロイド系化合物を有効成分とする屋内用粉剤に、本件第１発明の界面活性剤を配合することによるその安定化方法に係るものであるから、上記と同様な理由により、刊行物１、２に記載された発明であるとはいえないし、また、刊行物１、２並びに甲第２、３、５及び６号証記載の発明に基いて当業者が容易に発明をすることができたものとはいえない。
　したがって、本件第１、２発明は、特許出願の際独立して特許を受けることができるものである。
（４）むすび
　以上のとおりであるから、本件訂正は、特許法第１２０条の４第２項及び同条第３項で準用する第１２６条第２項から４項の規定に適合するので、当該訂正を認める。
III　異議申立てについての判断
１　異議申立て理由の概要
　異議申立人は、訂正前の特許請求の範囲請求項１ないし２項に係る発明は、甲第１号証に記載された発明である、また、甲第１ないし６号証に記載された発明に基いて当業者が容易に発明をすることができたものであるから、特許を受けることができないものである旨主張している。
２　判断
　異議申立人の主張がいずれも採用できないことは、上記II３から明らかである。
３　むすび
　以上のとおりであるから、特許異議申立ての理由及び証拠によっては、本件第１、２発明の特許を取り消すことはできない。
　また、他に本件第１、２発明の特許を取り消すべき理由を発見しない。
  よって、結論のとおり決定する。
【異議決定日】
平成１２年５月１７日（２０００．５．１７）
【訂正の要旨】
訂正の要旨
１　特許請求の範囲の減縮を目的として、特許請求の範囲の請求項１、２において、「ピレスロイド系化合物および／または有機リン系化合物」を、「ピレスロイド系化合物」に訂正し、「アルキルアミンのポリオキシエチレンエーテル系界面活性剤」を、「アルキルアミン（ただし、ステアリルアミンは除く）のポリオキシエチレンエーテル系界面活性剤」に訂正するものである。
２　明りょうでない記載の釈明を目的として、上記特許請求の範囲請求項１、２の訂正に伴い、発明の詳細な説明の記載を上記特許請求の範囲の訂正と整合すべく、該当箇所を訂正するものである。
（５４）【発明の名称】
屋内用粉剤およびその安定化方法
（５７）【特許請求の範囲】
　（１）ピレスロイド系化合物を有効成分とし、これに脂肪酸のアルキロールアマイド系又はアルキルアミン
（ただし、ステアリルアミンは除く）
　（２）ピレスロイド系化合物を有効成分とする屋内用粉剤において、脂肪酸のアルキロールアマイド系又はアルキルアミン
（ただし、ステアリルアミンは除く）
【発明の詳細な説明】
　［産業上の利用分野］
　本発明はピレスロイド系化合物を有効成分とし、これに脂肪酸のアルキロールアマイド系又はアルキルアミン
（ただし、ステアリルアミンは除く）
　［従来の技術］
　近年、生活様式や住宅設備が変化して室内環境がダニ類やノミ類、ナンキンムシ、シバンムシ類、アリガタバチ類、ゴキブリなど多種類の害虫にとって好適な生育条件となり大きな被害を招いている。
　例えば、乾燥不十分な新築の集団住宅では畳床は高温多湿となり、ケナガコナダニの生育に適した環境となるため異常発生を引き起こし、人に不快感を与えるだけでなく気管支喘息などのアレルギー疾患の病原になると言われている。
　また、室内塵中のダニの優占種であるヒョウヒダニ類は、主としてカーペット中で人の皮膚やフケ、食物残渣などをえさとして生息し、大発生すると気管支喘息、鼻アレルギーなどを惹起する。従来より、これら室内に発生するダニ類や害虫に対し、ピレスロイド系化合物や有機リン系化合物を含有する粉剤を畳下やカーペットに散布する駆除法が一般的にとられてきたが、これらの有効成分は、クレーやタルク等の鉱物質粉末と混合、製剤化すると、高温下のような虐待条件下では経時的に分解を生じ、効力の低下、分解生成物による予期せぬ異臭、あるいは貯蔵保存中の問題等を招く危倶があった。
また、最近畳に薬液を注入する方法や、防虫紙を敷く方法も提案されているが、前者では畳中での薬液の浸透性や畳の汚れ、一方後者では薬剤塗布濃度や徐放性に問題があって必ずしも満足しうる防除効果を与えるには至っていない。
［発明が解決しようとする問題点］
本発明者らは、粉剤を畳やカーペットなどに施用する方法が、依然としてダニ類やノミ類，ナンキンムシ，シバンムシ類，アリガタバチ類，ゴキブリなど多種類の屋内害虫の効率的かつ簡便な駆除方法として受け入れられている現状に着目し、ピレスロイド系化合物を含有する粉剤において、経時的分解に付随する効力低下、分解生成物による異臭あるいは貯蔵保存中の問題等を生ぜしめない製剤改良を目的として研究を行った。
［問題点を解決するための手段及び作用］
本発明者らは、安定な屋内用粉剤を開発すべく鋭意研究を重ねた結果、ピレスロイド系化合物を有効成分とし、これに脂肪酸のアルキロールアマイド系又はアルキルアミン
（ただし、ステアリルアミンは除く）
本発明で有効成分として用いられるピレスロイド系化合物としては、ピレトリン，アレスリン，レスメトリン，フタールスリン，フラメトリン，フェノトリン，ペルメトリン，エンペンスリン，サイフェノトリン，サイペルメトリン，エトフェンプロックスなどがあげられ、光学異性体あるいは幾何異性体が存在する場合は各異性体単独ならびに可能な異性体混合物全て本発明に包含されることはもちろんである。
なかでも、フェノトリンは、高い殺虫、殺ダニ活性と残効性を有し、しかも人畜毒性が著しく低いため好適に用いられる。
本発明粉剤は、有効成分を全体量に対して重量比で０．１〜１０％含有することができ、必要ならばピペロニルブトキサイド，サイネピリン５００，Ｓ−４２１，ＩＢＴＡなどの共力剤を適宜配合することができる。
本発明は、粉剤中有効成分の安定剤として、下記、脂肪酸のアルキロールアマイド系又はアルキルアミン
（ただし、ステアリルアミンは除く）
１．脂肪酸のアルキロールアマイド
［例］
　ラウリン酸ジエタノールアマイド
　（以下界面活性剤Ａと称す）
２．アルキルアミンのポリオキシエチレンエーテル
　Ｒ−ＮＨ−（ＣＨ２ＣＨ２Ｏ）ｎ−Ｈ
　［例］
　ステアリルアミンのポリオキシエチレンエーテル
　（
参考例：
　オレイルアミンのポリオキシエチレンエーテル
　（以下界面活性剤Ｃと称す）
なお、上記式中Ｒはアルキル基を示し、ｎは１以上の整数を表わす。通常の製造では種々重合度の異なる化合物の混合物として得られることが多いが、単品、混合物を問わず本発明に包含される。これらの界面活性剤が特異的に安定効果を呈する理由についてはなお不明な点が多いが、鉱物質粉末の表面活性抑制ならびにＰＨ調整の点で総合的に寄与しているものと考えられる。
なお、これらの界面活性剤に他の種類の界面活性剤、例えばエポキシ化植物油，ソルビタンの脂肪酸エステル，ソルビタンエステルのポリオキシエチレンエーテル，ドデシルベンゼンスルホン酸塩などを適宜添加してもかまわない。本発明粉剤で担体として使用される鉱物質粉末としては、クレー，タルク，カオリン，ベントナイト，ゼオライト，ケイソウ土，ジークライト，カープレックスなどをあげることができる。
更に必要に応じて、種々の滑たく剤、流動性改良剤例えばＰＡＰ（日本化学、商品名）などや、均一混合の目的で少量の補助溶剤を使用することができるし、また、酸化防止剤、例えばＢＨＴ，ＤＢＨ，スミライザーＢＰ−１０１（住友化学，商品名）などを加えて有効成分の安定性を一層増強することができる。
なお、本発明粉剤の有効成分として、ディート，ジブチルサクシネート，ジプロピルイソシンコロメートなどの害虫忌避剤、ＮＡＣ，ＭＴＭＣ，ＢＰＭＣなどの他の殺虫、殺ダニ剤あるいは、殺菌剤、芳香剤などを混合して効果のすぐれた多目的組成物を得ることもできる。
本発明の粉剤は、通常プラスチックボトルに充填された後、装填の噴口あるいは散布針等から畳のすき間や畳下、カーペットあるいは台所の床などに散布され、ダニ類やノミ類，ナンキンムシ，シバンムシ類，アリガタバチ類，ゴキブリなどの駆除に極めて有用なものである。
［実施例］
次に試験例、実施例により本発明を更に詳細に説明するが本発明がこれらのみに限定されるものでないことはもちろんである。
試験例１
　下表に示す処方にてｄ−シス，トランス−フェノトリン（以下　スミスリンと称す）の各１．０％クレー粉剤を調製し、この粉剤をガラスビンに入れて１３０℃に９時間保存後、粉剤中の有効成分量をガスクロマトグラフィで分析し初期含量に対する回収率を求めたところ次の如くであった。
　なお、調製粉剤の製剤物性（吐粉性など）についても試験を行った。
　注１）ソルポール７１５７；エポキシ化アマニ油（東邦化学，商品名）
　注２）ハイゾールＳＡＳ；フェニルキシリルエタン（日本石油，商品名）
　注３）スパン８０；ソルビタンのオレイン酸エステル（アトラス，商品名）
　注４）ツイン８０；ソルビタンのオレイン酸エステルのポリオキシエチレンエーテル（アトラス，商品名）
　注５）シリコーンＳＨ８４２１；エポキシポリエーテル変性ジメチルポリシロキサン（東レシリコーン，商品名）
　試験の結果、スミスリンにラウリン酸ジエタノールアマイドを添加してクレー粉剤を調製することにより、安定化にすぐれた粉剤を得ることができた。これに対し、安定化剤を含まない粉剤（対照粉剤１）や、他のタイプの界面活性剤を配合した粉剤（対照粉剤４，５，６）、シリコーンオイル添加剤（対照粉剤７）については有効成分が急激に分解し、本発明粉剤の界面活性剤が特異的に有効であることが認められた。
　また、対照粉剤２の場合、界面活性剤添加量が低すぎ、一方、対照粉剤３については、添加量が多すぎるため流動性、吐粉性の点で製剤物性上問題があり、従って安定効果及び製剤物性の両面から配合量を決める必要があることが明らかとなった。
試験例２
　試験例１に準じ有効成分及び鉱物質粉末の種類を替えて次表に示す粉剤を調製し、同様に１３０℃、９時間保存後の安定性を調べたところ次の如くであった。
　試験の結果、用いた有効成分、鉱物質粉末の種類にかかわらず、脂肪酸のアルキロールアマイド系，アルキルアミンのポリオキシエチレンエーテル系、界面活性剤の配合することにより有効成分の安定化が達成された。
実施例２
　エトフェンプロックス０．５部、ディート１．０部、ＢＨＴ０．２部、界面活性剤Ａ０．５部、ソルポール７１５７　０．５部、カープレックス２．０部およびカオリン９５．３部をよく混合した後ハンマーミルで混合粉砕して０．５％粉剤を得た。
この粉剤は、長期保存安定性、製剤物性にすぐれ、カーペット上に散粉して使用したところ、ケナガコナダニ、ヒョウヒダニ類の駆除、予防に極めて効果的であった。
［発明の効果］
　本発明は、従来の処方のものに比し、有効成分の安定性にすぐれ、また、高い防除効果と人畜に対する安全性を兼備した屋内用粉剤及びその安定化方法を提供するものである。